(57)【要約】【課題】パケットの通過経路を判定し、ネットワークのボトルネックを発見できるネットワーク管理装置を提供する。【解決手段】ネットワーク管理装置は、少なくとも送信先アドレスを用いてパケットをパケットフローにグループ化し、パスを終端する装置からの情報に基づきパケットフローとパスとの関係を示すパスデータベースを生成し、パケットを送信する装置それぞれから、パケットフローのトラフィックを、該トラフィックが経由した第１の装置ごとに示す第１のトラフィック情報を取得して、各パスに流入したトラフィックの合計を求め、パスを終端及び中継する装置から、各パスのトラフィックを示す第２のトラフィック情報をそれぞれ取得してトラフィック合計と比較することで輻輳箇所を判定する。【選択図】図５
2008153830.tif 000002
【特許請求の範囲】
【請求項１】
パスを終端する第１の装置から、設定されているパスの情報及びパケットを送信するパスを決定するためのルーティング情報を取得し、少なくとも送信先アドレスを用いてパケットをパケットフローとしてグループ化し、パケットフローと、該パケットフローに属するパケットが送信されるパスとの関係を示すパスデータベースを生成するパスデータベース生成手段と、
第１の装置と接続しパケットを送信する第２の装置から、パケットフローのトラフィックを、該トラフィックが経由した第１の装置ごとに示す第１のトラフィック情報を取得する手段と、
第１の装置及びパスを中継する第３の装置から、パスのトラフィックを示す第２のトラフィック情報をそれぞれ取得する手段と、
パスに流入したトラフィックの合計を、第１のトラフィック情報、及び、パスデータベースが示すパケットフローとパスの関係から求め、第１の装置及び第３の装置からそれぞれ得られる第２のトラフィック情報と比較することで輻輳箇所を判定する輻輳判定手段と、
を備えているネットワーク管理装置。
【請求項２】
パケットフローは、パケットを、パケットの送信先アドレス、送信元アドレス、送信先ポート番号及び送信元ポート番号によりグループ化したものである請求項１に記載のネットワーク管理装置。
【請求項３】
第１の装置から取得するパスの帯域情報と、該パスについての第２のトラフィック情報とに基づき、パスの追加及び削除を判定するパス設定判定手段と、
判定結果に応じてパスの追加又は削除を第１の装置に指示するパス設定制御手段と、
を備えており、
パス設定制御手段は、追加するパスに送信されるパケットを、パケットフローを単位として第１の装置に指示する請求項１又は２に記載のネットワーク管理装置。
【請求項４】
パス設定制御手段は、取得する第１のトラフィック情報に基づき、追加したパスに送信されるパケットを、パケットフローを単位として第１の装置に指示する請求項３に記載のネットワーク管理装置。
【請求項５】
コンピュータを、請求項１から４のいずれか１項に記載のネットワーク管理装置として機能させるためのプログラム。
【発明の詳細な説明】
【技術分野】
【０００１】
本発明は、ＭＰＬＳ／ＧＭＰＬＳネットワークを流れるトラフィックの通過経路を判定し、ＭＰＬＳ／ＧＭＰＬＳネットワークのボトルネックを発見して必要な措置を行うネットワーク管理技術に関する。
【背景技術】
【０００２】
特許文献１には、ＭＰＬＳ（Ｍｕｌｔｉ  Ｐｒｏｔｏｃｏｌ  Ｌａｂｅｌ  Ｓｗｉｔｃｈｉｎｇ）ネットワークにおいて、各ルータからＬＳＰ（Ｌａｂｅｌ  Ｓｗｉｔｃｈｅｄ  Ｐａｔｈ：ラベルスイッチパス）の経路に関する情報を収集することで、ＬＳＰの設定状況を把握するネットワーク管理装置が記載されている。特許文献１によると、ネットワーク管理装置は、ＬＳＰの上下関係もルータから取得し、一方のＬＳＰから他方のＬＳＰの検索を可能としている。
【０００３】
【特許文献１】特開２００５−２８６８１８号公報
【発明の開示】
【発明が解決しようとする課題】
【０００４】
複数のＩＰ（Ｉｎｔｅｒｎｅｔ  Ｐｒｏｔｏｃｏｌ）ネットワークが、ＭＰＬＳ、ＧＭＰＬＳ（Ｇｅｎｅｒａｌｉｚｅｄ  Ｍｕｌｔｉ  Ｐｒｏｔｏｃｏｌ  Ｌａｂｅｌ  Ｓｗｉｔｃｈｉｎｇ）、又は、これらが混在するＭＰＬＳ／ＧＭＰＬＳネットワークと接続し、各ＩＰネットワーク間でデータを送受する場合を考える。このとき、各ＩＰネットワークがＭＰＬＳ／ＧＭＰＬＳネットワークに送信する個々のＩＰパケットが、ＭＰＬＳ／ＧＭＰＬＳネットワークにあるどの装置を経由して、宛先のＩＰネットワーク内の装置に到達するかは現状管理されていない。
【０００５】
このため、スループットの低下が発生した場合、その原因を特定するためには、ＭＰＬＳ／ＧＭＰＬＳネットワーク内の各装置を個々に調査する必要があり、原因の特定及びその対策に長期間を要することになる。
【０００６】
したがって、本発明は、ＭＰＬＳ／ＧＭＰＬＳネットワークを流れるトラフィックの通過経路を判定し、判定したトラフィックの通過経路に基づき、ＭＰＬＳ／ＧＭＰＬＳネットワークのボトルネックを発見するネットワーク管理装置及びプログラムを提供することを目的とする。
【課題を解決するための手段】
【０００７】
本発明におけるネットワーク管理装置によれば、
パスを終端する第１の装置から、設定されているパスの情報及びパケットを送信するパスを決定するためのルーティング情報を取得し、少なくとも送信先アドレスを用いてパケットをパケットフローとしてグループ化し、パケットフローと、該パケットフローに属するパケットが送信されるパスとの関係を示すパスデータベースを生成するパスデータベース生成手段と、第１の装置と接続しパケットを送信する第２の装置から、パケットフローのトラフィックを、該トラフィックが経由した第１の装置ごとに示す第１のトラフィック情報を取得する手段と、第１の装置及びパスを中継する第３の装置から、パスのトラフィックを示す第２のトラフィック情報をそれぞれ取得する手段と、パスに流入したトラフィックの合計を、第１のトラフィック情報、及び、パスデータベースが示すパケットフローとパスの関係から求め、第１の装置及び第３の装置からそれぞれ得られる第２のトラフィック情報と比較することで輻輳箇所を判定する輻輳判定手段とを備えていることを特徴とする。
【０００８】
本発明のネットワーク管理装置における他の実施形態によれば、
パケットフローは、パケットを、パケットの送信先アドレス、送信元アドレス、送信先ポート番号及び送信元ポート番号によりグループ化したものであることも好ましい。
【０００９】
また、本発明のネットワーク管理装置における他の実施形態によれば、
第１の装置から取得するパスの帯域情報と、該パスについての第２のトラフィック情報とに基づき、パスの追加と削除を判定するパス設定判定手段と、判定結果に応じてパスの追加又は削除を第１の装置に指示するパス設定制御手段とを備えており、パス設定制御手段は、追加するパスに送信されるパケットを、パケットフローを単位として第１の装置に指示することも好ましい。
【００１０】
更に、本発明のネットワーク管理装置における他の実施形態によれば、
パス設定制御手段は、取得する第１のトラフィック情報に基づき、追加したパスに送信されるパケットを、パケットフローを単位として第１の装置に指示することも好ましい。
【００１１】
本発明におけるプログラムによれば、コンピュータを、上記ネットワーク管理装置として機能させることを特徴とする。
【発明の効果】
【００１２】
パケットフロー単位でパスとパケットとの関係を把握し、第２の装置それぞれが送信した各パケットフローのトラフィックを、経由した第１の装置ごとに収集して各パスに流入したトラフィック合計を求め、パスを終端する第１の装置及びパスを中継する第３の装置それぞれから収集するパスのトラフィックと比較することで、輻輳箇所を容易に判定することができる。また、必要なパスの設定又は不要なパスの削除を自動的に行うことで輻輳の事前回避を可能とする。
【発明を実施するための最良の形態】
【００１３】
本発明を実施するための最良の実施形態について、以下では図面を用いて詳細に説明する。
【００１４】
図１は、本発明によるネットワーク管理装置１を含む通信システム構成を示す図である。図１によると、ＧＭＰＬＳネットワーク２と、ＭＰＬＳネットワーク３と、ＩＰネットワーク４とが相互に接続している。なお、図１においては１つのＧＭＰＬＳネットワーク２に２つのＭＰＬＳネットワーク３が接続し、各ＭＰＬＳネットワーク３には２つのＩＰネットワーク４が接続しているが、各ネットワークの数及び接続状態は例示である。
【００１５】
図１の符号２０は、ＧＭＰＬＳパスを終端し、ＭＰＬＳネットワーク３からのＭＰＬＳパスをＧＭＰＬＳパスに収容するＧＭＰＬＳルータであり、符号３０は、ＭＰＬＳパスを終端すると共に、ＩＰネットワークから受信したパケットに対してはその送信先アドレス等に基づき、受信したパケットをＭＰＬＳパスに送出するＭＰＬＳルータである。更に、図１の符号４０はＭＰＬＳルータ３０と接続し、パケットを送信するＩＰルータである。なお、ＩＰルータ４０は、ＭＰＬＳ制御のＭＰＬＳルータであっても良い。
【００１６】
ＧＭＰＬＳネットワーク２は、ＧＭＰＬＳによりデータを送受する通信装置で構成されているネットワークであり、図示するＧＭＰＬＳパスを終端するＧＭＰＬＳルータ２０以外にも、例えば、光クロスコネクトや光多重装置、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｉｔｉｐｌｅｘｅｒ）、波長クロスコネクト装置といったＧＭＰＬＳパスを中継するＧＭＰＬＳ制御可能な通信装置を含んでいる。同様に、ＭＰＬＳネットワーク２は、ＭＰＬＳパスを終端するＭＰＬＳ制御可能な通信装置と中継する通信装置で構成されているネットワークであり、ＩＰネットワーク４は、ＩＰによりデータを送受する通信装置で構成されているネットワークである。以後、単にノードとは、ＧＭＰＬＳネットワーク２及びＭＰＬＳネットワーク３を構成する各通信装置の総称として使用する。本発明において、ネットワーク管理装置１は、ＩＰルータ４０及び各ノードから管理情報を収集するよう構成されている。
【００１７】
図２は、上述した信号の流れを説明する図である。図２によると、ＧＭＰＬＳルータ２０は、ＧＭＰＬＳパス２１を終端し、ＭＰＬＳパス３２、３４及び３５をＧＭＰＬＳパス２１に収容している。また、ＭＰＬＳルータ３０は、ＭＰＬＳパス３１、３２及び３３を終端し、ＩＰルータ４０、４１、４２とそれぞれリンク４３、４４、４５で接続している。ＭＰＬＳルータ３０は、ルーティングプロトコロルによりネットワークのトポロジを認識しており、ＩＰルータ４０、４１及び４２、並びに、ＭＰＬＳパス３１、３２及び３３からパケットを受信した場合、受信したパケットの送信先を、その送信先アドレス等の情報に基づき決定する。なお、ＭＰＬＳパスは、パケットに付与されるラベル番号で識別される仮想的なパスであり、パケットの送信先がＭＰＬＳパスである場合、ＭＰＬＳルータ３０は、送信先であるＭＰＬＳパスのラベル番号をパケットに付与して、送信先のＭＰＬＳパスを収容している物理インタフェースに送信する。
【００１８】
図３は、ＭＰＬＳルータ３０が保持するＭＰＬＳパス情報を示す図である。なお、図３は発明の理解のためにＭＰＬＳパス情報を簡略化して示したものであり、各ＭＩＢ（Ｍａｎａｇｅｍｅｎｔ  Ｉｎｆｏｒａｍａｔｉｏｎ  Ｂａｓｅ）で得られる情報を組み合わせることで図３に示す情報を得られる場合も本発明の範囲に含まれる。
【００１９】
図３によると、ＩＦ（インタフェース）＃１には、識別子１及び２の２つのＭＰＬＳパスが終端されており、識別子１のＭＰＬＳパスにはラベル番号１００を使用し、識別子２のＭＰＬＳパスにはラベル番号１０１を使用している。また、ＩＦ＃２には識別子３及び４の２つのＭＰＬＳパスが終端されており、識別子３のＭＰＬＳパスにはラベル番号１００を使用し、識別子４のＭＰＬＳパスにはラベル番号１０５を使用している。また、ＭＰＬＳルータ３０は、各ＭＰＬＳパスの対向側終端点までの経路上に存在する一連のノードを特定する情報、例えば、アドレスを経路情報として保持している。なお、図３に示すＭＰＬＳパス情報は、例示であり、ＭＰＬＳパスを終端するノードと、ＭＰＬＳパスを中継するノード及び／又はＭＰＬＳパスを収容するＧＭＰＬＳパスが特定できれば、その情報の表現に制限はない。例えば、パス識別子は、パスを一意に特定する名前で表現することも可能である。
【００２０】
ＭＰＬＳルータ３０は、ＩＰルータ４０からパケットを受信した場合、少なくとも受信したパケットの送信先アドレスを参照して受信したパケットの送信先を決定する。受信したパケットをＭＰＬＳパスに送信する場合には、送信に使用するＭＰＬＳパス、つまり、付加するラベル番号及び送信インタフェースを決定する。このためＭＰＬＳルータ３０は、ルーティング情報を保持する。図４は、ＭＰＬＳルータ３０が保持するルーティング情報の例を示す図である。なお、図４にいて“ａｎｙ”とは、アドレス又はポート番号の値が任意であることを示している。
【００２１】
例えば、図３に示すＭＰＬＳパス情報及び図４に示すルーティング情報を保持するＭＰＬＳルータ３０は、送信先ドレスＡ１１、送信先ポート番号Ｐ１であるパケットを、パス識別子１のＭＰＬＳパスに送信し、送信先アドレスが同一で、送信先ポート番号がＰ２であるパケットを、パス識別子４のＭＰＬＳパスに送信する。図３に示す各ＭＰＬＳパスの経路情報より、両パケットは、異なるノードを経由して最終的には同じノードＮｉに至ることになる。
【００２２】
同様にＧＭＰＬＳルータ２０も、設定しているＧＭＰＬＳパスについて、設定区間と経由ノードを示すＧＭＰＬＳパス情報を有しており、本発明によるネットワーク管理装置１は、ネットワーク上の各ノードからこれら情報を収集してＭＰＬＳパスとＧＭＰＬＳパスの対応関係及びＭＰＬＳパスとパケットの対応関係を示すパスデータベースを作成する。
【００２３】
図５は、本発明によるネットワーク管理装置１のブロック図である。図５によると、ネットワーク管理装置１は、パスデータベース生成部１１と、パスデータベース１２と、フロー情報取得部１３と、パストラフィック情報取得部１４と、輻輳判定部１５と、パス設定判定部１６と、パス設定制御部１７とを備えている。
【００２４】
パスデータベース生成部１１は、前述した様に、ＭＰＬＳ及び／又はＧＭＰＬＳネットワークの各ノードからパス情報及びルーティング情報を取得して、通信システム内に設定されているパスのデータベースであるパスデータベース１２を生成する。ここで、パスデータベース１２は、ＭＰＬＳルータ３０において終端されている各ＭＰＬＳパスと、そのＭＰＬＳパスに送信されるパケットの関係を、パケットフローと呼ぶ単位で管理する。パケットフローは、少なくとも送信先アドレスによりパケットをグループ化したものであり、本実施形態においては、送信先アドレス、送信元アドレス、送信先ポート番号及び送信元ポート番号によりグループ化した単位をパケットフローとする。例えば、図３に示すＭＰＬＳパス情報及び図４に示すルーティング情報を保持するＭＰＬＳルータ３０において、送信先アドレスＡ１１、送信元アドレスＡ１０、送信先ポート番号Ｐ１、送信元ポート番号Ｐ１０で規定されるパケットフローは、パスデータベース１２において、パス識別子が１であるＭＰＬＳパスと関連付けられることになる。
【００２５】
フロー情報取得部１３は、ルータ４０からフロー情報を取得する。フロー情報は、パケットフローごと、つまり、ルータ４０が送信したパケットの送信先アドレス、送信元アドレス、送信先ポート番号及び送信元ポート番号ごとの送信データ量と、ネクストホップアドレス、即ち、該送信データ量で示されるパケットが経由した隣接ルータのアドレスとを含む情報である。フロー情報の取得は、ＩＰルータ４０が自律的に送信する構成でも、ネットワーク管理装置１が問い合わせを行って取得する構成でも良い。また、送信データ量は、前回の取得時からの増分であっても、累積値であっても良く、パケットフローごとのトラフィック情報として使用する。
【００２６】
パストラフィック情報取得部１４は、ＭＰＬＳパス及び／又はＧＭＰＬＳパスを終端するノード及び中継するノードから、各パスのトラフィック情報を取得する。
【００２７】
輻輳判定部１５は、パスデータベース１２が保持する情報と、フロー情報取得部１３が取得するフロー情報と、パストラフィック情報取得部１４が取得するパスのトラフィック情報から輻輳箇所を判定する。具体的には、フロー情報に含まれるネクストホップアドレスから該パケットフローに属するパケットが経由したＭＰＬＳルータ３０を特定し、パスデータベース１２から、該パケットフローに属するパケットの送信に使用されたＭＰＬＳパスを特定する。この処理を各ＩＰルータ４０から取得するフロー情報に対して行うことで、１つのＭＰＬＳパスに流入する全パケットフローを認識し、各フロー情報に含まれるトラフィク情報を合計して、１つのＭＰＬＳパスに流入した総トラフィック量を求める。続いて、このＭＰＬＳパスの終端及び中継ノードから収集した、当該ＭＰＬＳパスの各ノードでのトラフィック量と、このＭＰＬＳパスに流入したトラフィック量とを比較し、その差分が所定値以上に変化するノード又はリンクを輻輳区間として判定する。
【００２８】
例えば、あるＭＰＬＳパスに流入しているパケットフローが３つあり、フロー情報から得られたそれぞれのトラフィック情報が２０Ｍｐｂｓ、３０Ｍｐｂｓ、５０Ｍｂｐｓである場合において、ＭＰＬＳパスの終端ノードから得られたパスのトラフィック情報が１００Ｍｂｐｓを示し、次のノードから得られた当該パスのトラフィック情報が１００Ｍｂｐｓを示し、３番目のノードから得られた当該パスのトラフィック情報が５０Ｍｂｐｓを示している場合、２番目のノードから３番目のノードの区間又は３番目のノードにおいて輻輳が発生していると判定する。
【００２９】
図６は、本発明によるネットワーク管理方法の処理フロー図である。パスデータベース生成部１１は、パス情報及びルーティング情報を通信システム内のＭＰＬＳ及び／又はＧＭＰＬＳルータから取得し、ネットワーク内に存在するＧＭＰＳＬパス及び／又はＭＰＬＳパス相互の関係と、ＭＰＬＳパスとパケットフローとの関係を示すパスデータベース１２を生成する（Ｓ６１）。フロー情報取得部１３がパケットフローのトラフィック情報を含むフロー情報を、パストラフィック情報取得部１４がパスのトラフィック情報を、定期的に取得（Ｓ６２）し、輻輳判定部１５が、これら情報と、パスデータベース１２から輻輳箇所の判定を行う（Ｓ６３）。
【００３０】
図５に戻り、パス設定判定部１６は、パストラフィック情報取得部１４が取得するＭＰＬＳパスのトラフィック情報に基づき新たなＭＰＬＳパスを設定する必要があるか否かと、既存のＭＰＬＳパスに不要なものがあるか否かを判定する。新たなＭＰＬＳパスを設定する場合には、新たなＭＰＬＳパスを収容する新たなＧＭＰＬＳパスが必要であるか否かも判定し、不要なＭＰＬＳパスが存在する場合には不要なＭＰＬＳパスの削除に伴い、ＭＰＬＳパスを１つも収容しない不要なＧＭＰＬＳパスが発生するか否かも判定する。
【００３１】
図７はパス設定判定部１６及びパス設定制御部１７によるパス設定判定及び設定制御処理のフロー図である。ここで、使用率とはパストラフィック情報取得部１４が取得するパスの終端点における当該パスのトラフィック情報に対する当該パスの帯域の比であり、これが所定の上限値を超えた回数をパス設定判定部１６はカウントしておく。なお、カウント値は、所定期間、上限値を超えることが無かった場合には０にリセットされる。この上限値を超えた回数が閾値を超えた場合（Ｓ７１）、パス設定判定部１６は、ＭＰＬＳパスを追加するのに必要なリソースがネットワークにあるか否かをパスデータベース１２に基づき判定（Ｓ７２）し、新たなＭＰＬＳパスを設定するためには新たなＧＭＰＬＳパスの作成が必要（Ｓ７３）である場合には、更に、新たなＧＭＰＬＳパスを追加可能であるか否かを判定する（Ｓ７４）。ここで、追加が不可能な場合には保守者にその旨を示すエラーイベントをモニタ又はログファイルに出力（Ｓ７６）し、そうでなければ、パス設定制御部１７が、各ノードに実際のパス設定を指示（Ｓ７５）する。
【００３２】
本発明においては、追加するＭＰＬＳパスを、元から設定されているＭＰＬＳパスに対する子ＭＰＬＳパスと位置付け、ＭＰＬＳパスの削除は子ＭＰＬＳパスに対してのみ実行する。具体的には、使用率が所定の下限値を下回った回数をパス設定判定部１６はカウントし、カウント値が閾値を超えた場合、パス設定判定部１６は、子ＭＰＬＳパスを削除することを決定する。更に、子ＭＰＬＳパスの削除によりＭＰＬＳパスを収容しないＧＭＰＬＳパスが生じるか否かを判定し、生じる場合にはこのＧＭＰＬＳパスの削除も決定する。その後、パス設定制御部１７が、各ノードに実際のパス削除を指示する。なお、パス追加時と同様、使用率が所定期間、下限値を下回ることがなかった場合、カウント値は０にリセットされる。なお、カウント値を超えたパスが元から設定されているＭＰＬＳパスである場合には、保守者にその旨を示すエラーイベントをモニタ又はログファイルに出力する。
【００３３】
また、パス設定制御部１７は、各ノードにパス設定を指示する際に、子ＭＰＬＳパスに流すパケットフローを指定し、各ノードは、指定されたパケットフローに基づきルーティング情報を更新する。また、作成したＭＰＬＳパスに応じてパスデータベース１２も更新される。
【００３４】
なお、子ＭＰＬＳパスに流すパケットフローの指定は、あるパケットフローを固定的に指定しても、各パケットフローに優先順位を設け、優先順位の低いものから、そのトラフィック合計が子ＭＰＬＳパスの帯域の所定割合以内になるものを指定しても良い。パケットフローを固定的に指定することで、例えば、ＶｏＩＰ等のパケットロスに対する許容値の低いフローを元のＭＰＬＳパスに残し、他のフローを子ＭＰＬＳパスに流すといった制御が可能になる。
【００３５】
また、トラフィック合計がＭＰＬＳパス帯域の所定割合以内になる様に制御するため、パス設定制御部１７は、フロー情報取得部１３が取得するフロー情報に含まれるトラフィック情報を利用する。具体的には、パス設定制御部１７は、フロー情報に基づき、あるＭＰＬＳパスに流入する各パケットフロー及びそのトラフィックを認識し、パケットフローの優先順位から、子ＭＰＬＳパスに流すべきパケットフローを決定し、決定したパケットフロー又は現在の設定からの変更分をＭＰＬＳルータ３０に通知する。この処理を、定期的に行うことにより動的なトラフィック制御を、ネットワーク管理装置から実行することが可能になる。
【００３６】
以上、本発明のネットワーク管理装置は、パケットフロー単位で、ＭＰＬＳ／ＧＭＰＬＳパスとの関係を把握し、よって、輻輳箇所の特定を容易に行うことを可能とする。また、パストラフィック情報に基づき必要なパスの設定又は不要なパスの削除を自動的に行うことで輻輳の事前回避を可能とする。
【００３７】
なお、本発明によるネットワーク管理装置は、コンピュータを図５の各部として機能させるコンピュータプログラムにより実現することができる。このコンピュータプログラムは、コンピュータが読み取り可能な記憶媒体に記憶されて、又は、ネットワーク経由で配布が可能なものである。更に、本発明は、ハードウェアのみや、ソフトウェアのみならず、それらの組合せによっても実現可能である。
【図面の簡単な説明】
【００３８】
【図１】本発明による通信システム構成を示す図である。
【図２】信号の流れの説明図である。
【図３】ＭＰＬＳルータが有するＭＰＬＳパス情報を示す図である。
【図４】ＭＰＬＳルータが有するルーティング情報を示す図である。
【図５】本発明によるネットワーク管理装置のブロック図である。
【図６】本発明によりネットワーク管理方法の処理フロー図である。
【図７】パス設定判定部での判定処理フロー図である。
【符号の説明】
【００３９】
１  ネットワーク管理装置
１１  パスデータベース生成部
１２  パスデータベース
１３  フロー情報取得部
１４  パストラフィック情報取得部
１５  輻輳判定部
１６  パス設定判定部
１７  パス設定制御部
２  ＧＭＰＬＳネットワーク
３  ＭＰＬＳネットワーク
４  ＩＰネットワーク
２０  ＧＭＰＬＳルータ
２１  ＧＭＰＬＳパス
３１、３２、３３、３４、３５  ＭＰＬＳパス
３０  ＭＰＬＳルータ
４０、４１、４２  ＩＰルータ
４３、４４、４５  リンク
【図１】
2008153830.tif 000003
【図２】
2008153830.tif 000004
【図３】
2008153830.tif 000005
【図４】
2008153830.tif 000006
【図５】
2008153830.tif 000007
【図６】
2008153830.tif 000008
【図７】
2008153830.tif 000009